(57)【要約】【課題】簡単な設定によって、印刷の際に用いるプリンタや印刷用紙の特性に適した画像品質を有する画像を撮影すること。【解決手段】撮影装置１００は、印刷条件取得部１０１と、撮影条件設定部１０４と、撮影部１０５とを備える。印刷条件取得部１０１は、画像を印刷するプリンタが有する印刷条件を取得する。撮影条件設定部１０４は、印刷条件取得部１０１によって取得した印刷条件に基づいて、撮影部１０５によって撮影する画像の撮影条件を設定する。撮影部１０５は、画像を撮影する。【選択図】図１
2007158888.tif 000002
【特許請求の範囲】
【請求項１】
画像を撮影する撮影手段と、
前記画像を印刷するプリンタが有する印刷条件を取得する印刷条件取得手段と、
前記印刷条件取得手段によって取得した前記印刷条件に基づいて、前記撮影手段によっ
て撮影する前記画像の撮影条件を設定する撮影条件設定手段と、
を備えたことを特徴とする撮影装置。
【請求項２】
前記印刷条件取得手段は、前記画像を印刷する印刷用紙のサイズを印刷条件として取得
し、
前記撮影条件設定手段は、前記撮影条件として、前記印刷条件取得手段によって取得し
た前記印刷用紙のサイズに対応する前記画像の解像度を設定することを特徴とする請求項
１に記載の撮影装置。
【請求項３】
前記印刷条件取得手段は、前記画像を印刷する印刷用紙の種類を印刷条件として取得し
、
前記撮影条件設定手段は、前記撮影条件として、前記印刷条件取得手段によって取得し
た前記印刷用紙の種類に対応する前記画像の圧縮率を設定することを特徴とする請求項１
または２に記載の撮影装置。
【請求項４】
印刷条件選択手段をさらに備え、
前記印刷条件取得手段は、前記画像を印刷するプリンタが有する複数の印刷条件を取得
し、
前記印刷条件選択手段は、前記画像を印刷するプリンタが有する複数の印刷条件の中か
ら、前記画像を印刷する前記印刷条件を選択し、
前記撮影条件設定手段は、前記印刷条件選択手段によって選択された前記画像を印刷す
る印刷条件に基づいて、前記撮影手段によって撮影する前記画像の撮影条件を設定するこ
とを特徴とする請求項１〜３のいずれか一つに記載の撮影装置。
【請求項５】
前記印刷条件取得手段は、前記画像を印刷する複数のプリンタがそれぞれ有する印刷条
件を取得し、
前記印刷条件選択手段は、前記画像を印刷する複数のプリンタがそれぞれ有する印刷条
件の中から、前記画像を印刷する前記印刷条件を選択することを特徴とする請求項４に記
載の撮影装置。
【請求項６】
画像を撮影する撮影工程と、
前記画像を印刷するプリンタが有する印刷条件を取得する印刷条件取得工程と、
前記印刷条件取得工程によって取得した前記印刷条件に基づいて、前記撮影工程によっ
て撮影する前記画像の撮影条件を設定する撮影条件設定工程と、
を含んだことを特徴とする撮影方法。
【請求項７】
請求項６に記載の撮影方法をコンピュータに実行させることを特徴とする撮影プログラ
ム。
【請求項８】
請求項７に記載の撮影プログラムを記憶したことを特徴とするコンピュータに読み取り
可能な記憶媒体。
【発明の詳細な説明】
【技術分野】
【０００１】
本発明は、画像を撮影する、撮影装置、撮影方法、撮影プログラム、および記憶媒体に関する。
【背景技術】
【０００２】
従来、例えば、撮影した画像を、データ記憶媒体（スマートメディア、ＳＤメモリーカード、メモリースティック、ＵＳＢフラッシュメモリなど）、通信ケーブルおよび無線通信などを介してプリンタに送信し、送信先のプリンタによって画像を印刷用紙などに印刷することができるデジタルカメラやカメラ付き携帯電話などの撮影装置がある。
【０００３】
このような撮影装置の中には、撮影した画像の画像解像度や画像圧縮レベルなどの画像品質に関する設定を行うことができるものがあるが、ユーザは、画像品質に関する設定をどのように行えば、最適な画像品質を有する画像を撮影することができるのかを判断するのが困難であった。そのため、適当な画像品質に関する設定によって画像を撮影してしまい、撮影した画像を印刷用紙に印刷したときに、所望の画像品質を得られなかったという問題が生じていた。また、不要にデータサイズの大きな画像データを生成してしまうことによって、プリンタへの画像の送信速度が遅くなったり、データ記憶媒体に記憶することができる画像の枚数が少なくなってしまったりするなどの問題が生じていた。
【０００４】
そこで、例えば、画像品質に関する設定を組み合わせたものにユーザが理解できる名称を付与したもの（以下、「組み合わせ設定」と示す）をあらかじめ複数用意して、ユーザは、組み合わせ設定に付与された名称に基づいて、複数の組み合わせ設定の中から、任意の一つを選択することによって、撮影した画像の画像品質に関する設定を容易に行うことができる撮影装置がある（例えば、下記特許文献１参照。）。
【０００５】
【特許文献１】特開２００５−７３２３７号公報
【発明の開示】
【発明が解決しようとする課題】
【０００６】
しかしながら、上記の従来技術にあっては、画像品質に関する設定に、印刷の際に用いるプリンタや印刷用紙の特性までは考慮されていない。そのため、例え、組み合わせ設定によって画像品質に関する設定を容易に行うことができたとしても、印刷の際に用いるプリンタや印刷用紙の特性に適した画像品質を有する画像を撮影することができないという問題が生じていた。
【０００７】
本発明は、上述した従来技術による問題点を解消するため、簡単な設定によって、印刷の際に用いるプリンタや印刷用紙の特性に適した画像品質を有する画像を撮影することができる撮影装置、撮影方法、撮影プログラム、および記憶媒体を提供することを目的とする。
【課題を解決するための手段】
【０００８】
上述した課題を解決し、目的を達成するため、この発明にかかる撮影装置は、画像を撮影する撮影手段と、前記画像を印刷するプリンタが有する印刷条件を取得する印刷条件取得手段と、前記印刷条件取得手段によって取得した前記印刷条件に基づいて、前記撮影手段によって撮影する前記画像の撮影条件を設定する撮影条件設定手段と、を備えたことを特徴とする。
【０００９】
この発明によれば、撮影した画像を印刷するプリンタが有する印刷条件を取得して、撮影装置に対して、取得した印刷条件に基づいた撮影条件の設定を行うことができる。そして、設定された撮影条件による画像の撮影を行うことができる。そのため、容易に、撮影した画像を印刷するプリンタに適した画像品質を有する画像の撮影を行うことができる。
【００１０】
また、この発明にかかる撮影装置は、上記に記載の発明において、前記印刷条件取得手段は、前記画像を印刷する印刷用紙のサイズを印刷条件として取得し、前記撮影条件設定手段は、前記撮影条件として、前記印刷条件取得手段によって取得した前記印刷用紙のサイズに対応する前記画像の解像度を設定することを特徴とする。
【００１１】
この発明によれば、撮影した画像を印刷するプリンタが有する印刷条件として印刷用紙のサイズを取得して、撮影装置に対して、撮影条件として、印刷条件として取得した印刷用紙のサイズに基づいた画像の解像度の設定を行うことができる。そして、撮影条件として設定された画像の解像度による画像の撮影を行うことができる。そのため、容易に、撮影した画像を印刷するプリンタおよび印刷用紙のサイズに適した画像品質を有する画像の撮影を行うことができる。
【００１２】
また、この発明にかかる撮影装置は、上記に記載の発明において、前記印刷条件取得手段は、前記画像を印刷する印刷用紙の種類を印刷条件として取得し、前記撮影条件設定手段は、前記撮影条件として、前記印刷条件取得手段によって取得した前記印刷用紙の種類に対応する前記画像の圧縮率を設定することを特徴とする。
【００１３】
この発明によれば、撮影した画像を印刷するプリンタが有する印刷条件として印刷用紙の種類を取得して、撮影装置に対して、撮影条件として、印刷条件として取得した印刷用紙の種類に基づいた画像の圧縮率の設定を行うことができる。そして、撮影条件として設定された画像の圧縮率による画像の撮影を行うことができる。そのため、容易に、撮影した画像を印刷するプリンタおよび印刷用紙の種類に適した画像品質を有する画像の撮影を行うことができる。
【００１４】
また、この発明にかかる撮影装置は、上記に記載の発明において、印刷条件選択手段をさらに備え、前記印刷条件取得手段は、前記画像を印刷するプリンタが有する複数の印刷条件を取得し、前記印刷条件選択手段は、前記画像を印刷するプリンタが有する複数の印刷条件の中から、前記画像を印刷する前記印刷条件を選択し、前記撮影条件設定手段は、前記印刷条件選択手段によって選択された前記画像を印刷する印刷条件に基づいて、前記撮影手段によって撮影する前記画像の撮影条件を設定することを特徴とする。
【００１５】
この発明によれば、撮影した画像を印刷するプリンタが有する複数の印刷条件を取得して、取得した複数の印刷条件の中から所望の印刷条件を選択して、撮影装置に対して、選択した印刷条件に基づいた撮影条件の設定を行うことができる。そして、設定された撮影条件による画像の撮影を行うことができる。そのため、複数の印刷条件の中から所望の印刷条件を選択するだけといった簡単な操作によって、容易に、撮影した画像を印刷するプリンタおよびプリンタが有する所望の印刷条件に適した画像品質を有する画像の撮影を行うことができる。
【００１６】
また、この発明にかかる撮影装置は、上記に記載の発明において、前記印刷条件取得手段は、前記画像を印刷する複数のプリンタがそれぞれ有する印刷条件を取得し、前記印刷条件選択手段は、前記画像を印刷する複数のプリンタがそれぞれ有する印刷条件の中から、前記画像を印刷する前記印刷条件を選択することを特徴とする。
【００１７】
この発明によれば、撮影した画像を印刷する複数のプリンタがそれぞれ有する印刷条件を取得して、取得した複数のプリンタがそれぞれ有する印刷条件の中から所望のプリンタが有する所望の印刷条件を選択して、撮影装置に対して、選択した印刷条件に基づいた撮影条件の設定を行うことができる。そして、設定された撮影条件による画像の撮影を行うことができる。そのため、複数のプリンタがそれぞれ有する印刷条件の中から所望のプリンタが有する所望の印刷条件を選択するだけといった簡単な操作によって、容易に、撮影した画像を印刷する所望のプリンタおよび所望のプリンタが有する所望の印刷条件に適した画像品質を有する画像の撮影を行うことができる。
【００１８】
また、この発明にかかる撮影方法は、画像を撮影する撮影工程と、前記画像を印刷するプリンタが有する印刷条件を取得する印刷条件取得工程と、前記印刷条件取得工程によって取得した前記印刷条件に基づいて、前記撮影工程によって撮影する前記画像の撮影条件を設定する撮影条件設定工程と、を含んだことを特徴とする。
【００１９】
この発明によれば、撮影した画像を印刷するプリンタが有する印刷条件を取得して、撮影装置に対して、取得した印刷条件に基づいた撮影条件の設定を行うことができる。そして、設定された撮影条件による画像の撮影を行うことができる。そのため、容易に、撮影した画像を印刷するプリンタに適した画像品質を有する画像の撮影を行うことができる。
【００２０】
また、この発明にかかる撮影プログラムは、上記に記載の撮影方法をコンピュータに実行させることを特徴とする。
【００２１】
この発明によれば、撮影プログラムを実行することにより、上述した撮影方法によって得られる動作がコンピュータによって実現される。これにより、上述した撮影方法の実現によって得られる各種効果を奏することができる。
【００２２】
また、この発明にかかる記憶媒体は、上記に記載の撮影プログラムをコンピュータに読み取り可能に記憶したことを特徴とする。
【００２３】
この発明によれば、記憶された撮影プログラムをコンピュータに読み取らせ、実行させることによって、上述した撮影プログラムの実行によって得られる動作がコンピュータによって実現される。これにより、上述した撮影プログラムの実行によって得られる各種効果を奏することができる。
【発明を実施するための最良の形態】
【００２４】
以下に添付図面を参照して、この発明にかかる撮影装置の好適な実施の形態を詳細に説明する。
【００２５】
（撮影装置１００の機能的構成）
図１は、本実施の形態における撮影装置の機能的構成の一例を示すブロック図である。
図１に示すように、本実施の形態における撮影装置１００は、印刷条件取得部１０１と、操作部１０２と、印刷条件選択部１０３と、撮影条件設定部１０４と、撮影部１０５と、プリンタ情報記憶部１０６と、撮影条件記憶部１０７とを備えて構成されている。
【００２６】
印刷条件取得部１０１は、複数のプリンタ１１０がそれぞれ有するプリンタ情報１１１を取得する。印刷条件取得部１０１は、データ記憶媒体２０５から、プリンタ情報１１１を取得する。また、印刷条件取得部１０１は、プリンタ１１０から、通信ケーブル２０８（図２参照）や図示しない無線通信を介して、プリンタ情報１１１を取得することもできる。さらに、印刷条件取得部１０１は、ネットワーク１２０（図２参照）に接続されたプリンタ１１０やパーソナル・コンピュータなどから、通信ケーブル２０８や図示しない無線通信を介して、プリンタ情報１１１を取得することもできる。さらに、すでにプリンタ情報１１１がプリンタ情報記憶部１０６に記憶されている場合、印刷条件取得部１０１は、プリンタ情報記憶部１０６から、プリンタ情報１１１を取得することもできる。印刷条件取得部１０１は、上述したプリンタ情報１１１の取得方法のいずれか一つの方法または複数の方法によって、プリンタ情報１１１を取得することができる。
【００２７】
プリンタ情報１１１には、プリンタ１１０を識別するための情報（以下、「プリンタ識別情報」と示す）が含まれる。また、プリンタ情報１１１には、プリンタ１１０が有する印刷条件として、プリンタ１１０によって印刷することができる印刷用紙のサイズ（Ａ３、Ａ４、ハガキなど）に関する情報（以下、「用紙サイズ情報」と示す）が含まれる。用紙サイズ情報には、それぞれの印刷用紙のサイズに対応する画像解像度に関する情報が含まれる。さらに、プリンタ情報１１１には、プリンタ１１０が有する印刷条件として、プリンタ１１０によって印刷することができる印刷用紙の種類（写真光沢紙、ファイン用紙、普通紙など）に関する情報（以下、「用紙種類情報」と示す）などが含まれる。用紙種類情報には、それぞれの印刷用紙の種類に対応する画像圧縮レベルに関する情報が含まれる。
【００２８】
操作部１０２は、印刷条件取得部１０１によって取得したプリンタ情報１１１の中から、使用するプリンタ１１０に対応するプリンタ情報１１１を選択するための操作を行う。
また、操作部１０２は、印刷条件選択部１０３によって選択されたプリンタ情報１１１の中から、撮影装置１００で撮影した画像を印刷する際に用いる印刷条件を選択するための操作を行う。使用プリンタ１１０に対応するプリンタ情報１１１および撮影装置１００で撮影した画像を印刷する際に用いる印刷条件は、ディスプレイ２０６（図２参照）に表示されたメニュー、アイコン、選択ボタンなどを、操作キー２０９（図２参照）を用いて操作することによって選択することができる。
【００２９】
印刷条件選択部１０３は、操作部１０２の操作に基づいて、印刷条件取得部１０１によって取得したプリンタ情報１１１の中から、撮影装置１００で撮影した画像を印刷する際に用いるプリンタ１１０（以下、「使用するプリンタ１１０」と示す）に対応するプリンタ情報１１１を選択する。また、印刷条件選択部１０３は、操作部１０２の操作に基づいて、印刷条件選択部１０３によって選択したプリンタ情報１１１の中から、撮影装置１００で撮影した画像を印刷する際に用いる印刷条件を選択する。
【００３０】
印刷条件選択部１０３は、印刷条件として、印刷条件選択部１０３によって選択したプリンタ情報１１１の中に含まれる用紙サイズ情報の中から、撮影装置１００で撮影した画像を印刷する際に用いる印刷用紙のサイズ（以下、「使用する印刷用紙のサイズ」と示す）を選択する。さらに、印刷条件選択部１０３は、印刷条件として、印刷条件選択部１０３によって選択したプリンタ情報１１１の中に含まれる用紙種類情報の中から、撮影装置１００で撮影した画像を印刷する際に用いる印刷用紙の種類（以下、「使用する印刷用紙の種類」と示す）を選択する。
【００３１】
撮影条件設定部１０４は、印刷条件選択部１０３によって選択した印刷条件に基づいて、撮影装置１００に対して撮影条件を設定する。撮影条件設定部１０４は、印刷条件選択部１０３によって選択した印刷用紙のサイズに対応する画像解像度を、プリンタ情報１１１より取得して、撮影装置１００に対して設定する。また、撮影条件設定部１０４は、印刷条件選択部１０３によって選択した印刷用紙の種類に対応する画像圧縮レベルを、プリンタ情報１１１より取得して、撮影装置１００に対して設定する。また、すでに撮影条件が撮影条件記憶部１０７に記憶されている場合、撮影条件設定部１０４は、撮影条件記憶部１０７から、撮影条件を取得することもできる。
【００３２】
撮影部１０５は、撮影条件設定部１０４によって設定された撮影条件による撮影を行う。撮影部１０５によって撮影された画像は、コンパクトフラッシュ（登録商標）、スマートメディア（登録商標）、ＳＤメモリーカード（登録商標）、マルチメディアカード（登録商標）、メモリースティック（登録商標）、ＵＳＢフラッシュメモリなどのデータ記憶媒体２０５（図２参照）に記憶される。
また、撮影部１０５によって撮影された画像を、ＲＡＭ２０３（図２参照）に記憶することもできる。
【００３３】
プリンタ情報記憶部１０６は、印刷条件取得部１０１によって取得したプリンタ情報１１１を記憶する。プリンタ情報記憶部１０６は、プリンタ情報１１１をＲＡＭ２０３に記憶する。また、プリンタ情報記憶部１０６は、プリンタ情報１１１をデータ記憶媒体２０５（コンパクトフラッシュ、スマートメディア、ＳＤメモリーカード、マルチメディアカード、メモリースティック、ＵＳＢフラッシュメモリなど）に記憶することもできる。プリンタ情報記憶部１０６によって記憶されたプリンタ情報１１１は、印刷条件取得部１０１によって読み出される。また、プリンタ情報記憶部１０６は、複数のプリンタ情報１１１を記憶することができる。
【００３４】
撮影条件記憶部１０７は、撮影条件設定部１０４によって設定された撮影条件を記憶する。撮影条件記憶部１０７は、撮影条件をＲＡＭ２０３に記憶する。また、撮影条件記憶部１０７は、撮影条件をデータ記憶媒体２０５（コンパクトフラッシュ、スマートメディア、ＳＤメモリーカード、マルチメディアカード、メモリースティック、ＵＳＢフラッシュメモリなど）に記憶することもできる。撮影条件記憶部１０７によって記憶された撮影条件は、撮影条件設定部１０４によって読み出される。
【００３５】
（撮影装置１００のハードウェア構成）
図２は、本実施の形態における撮影装置のハードウェア構成の一例を示すブロック図である。なお、以降において、既に説明した部分と重複する箇所は同一の符号を附して説明を省略する。本実施の形態における撮影装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、データ記憶媒体ドライブ２０４と、データ記憶媒体２０５と、ディスプレイ２０６と、インタフェース（Ｉ／Ｆ）２０７と、通信ケーブル２０８と、操作キー２０９と、レンズ２１０と、リニアイメージセンサ２１１とを備えて構成されており、各構成部はバス２１２によってそれぞれ接続されている。
【００３６】
ＣＰＵ２０１は、所定の演算処理を実行し、この撮影装置１００の全体を制御する。ＲＯＭ２０２は、各種制御プログラムなどを記憶する。ＲＯＭ２０２に記憶されたデータは、ユーザの操作によって書き換えることが可能ではあるが、電源ＯＦＦによって消去されないものである。ＲＡＭ２０３は、可変的なデータを書き換え自在に記憶し、ＣＰＵ２０１のワークエリアとして機能する。ＲＡＭ２０３は、電源ＯＦＦによって記憶されたデータが消去される揮発性のメモリであってもよいし、バッテリなどによってバックアップされることによる不揮発性のメモリとしてもよい。
【００３７】
データ記憶媒体ドライブ２０４はＣＰＵ２０１の制御命令に従って、データ記憶媒体２０５に対するデータの読み取り／書き込みの制御を行う。データ記憶媒体２０５は、各種制御プログラムや各種データを、例えばＣＰＵ２０１に読み取り可能に記録する。データ記憶媒体２０５は、データ記憶媒体ドライブ２０４による情報の書き込みを受け付けるとともに、書き込まれたデータを不揮発に記録する着脱自在な記憶媒体である。データ記憶媒体２０５には、例えばコンパクトフラッシュ、スマートメディア、ＳＤメモリーカード、マルチメディアカード、メモリースティック、ＵＳＢフラッシュメモリなどが挙げられる。
【００３８】
ディスプレイ２０６は、例えばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどのディスプレイ装置によって構成される。ディスプレイ２０６には、アイコン、カーソル、メニュー、ウィンドウ、あるいは文字や画像などの各種情報が表示される。
【００３９】
Ｉ／Ｆ２０７は、通信ケーブル２０８を介してプリンタ１１０およびＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワーク１２０に接続され、プリンタ１１０およびネットワーク１２０と撮影装置１００とのインタフェースとして機能し、撮影装置１００に対するデータの入出力を制御する。操作キー２０９は、文字、数字、各種指示などの入力のためのキーを備え、データの入力を行う。操作キー２０９には、ジョイスティック式、回転ダイヤル式およびタッチパネル式のものを用いてもよい。
【００４０】
レンズ２１０は、被写体からの反射光を光学像としてリニアイメージセンサの受光面に結像させる。リニアイメージセンサ２１１は、フォトダイオードなどの受光素子が配列されており、レンズ２１０によって受光面に結像された光学像を光電変換して、受光素子ごとの受光量に応じた電気信号を出力する。リニアイメージセンサ２１１によって出力された電気信号は、例えばＣＰＵ２０１の制御によって制御される画像処理プログラムによって、画像データの生成に用いられる。
【００４１】
なお、本実施の形態にかかる撮影装置１００の機能的構成は、例えば、印刷条件取得部１０１は、ＣＰＵ２０１が、操作部１０２は、操作キー２０９が、印刷条件取得部１０３と、撮影条件設定部１０４は、ＣＰＵ２０１が、撮影部１０５は、レンズ２１０およびリニアイメージセンサ２１１が、プリンタ情報記憶部１０６と、撮影条件記憶部１０７は、ＲＡＭ２０３およびデータ記憶媒体２０５が、それぞれその機能を実現する。
【００４２】
（撮影装置１００の撮影処理手順）
図３は、本実施の形態における撮影装置による撮影処理手順の一例を示すフローチャートである。以下、本実施の形態における撮影処理手順について図３を用いて説明する。
【００４３】
まず、印刷条件取得部１０１によって、プリンタ情報１１１を取得する（ステップＳ３０１）。印刷条件取得部１０１は、データ記憶媒体２０５から、プリンタ情報１１１を取得する。印刷条件取得部１０１は、すでにプリンタ情報記憶部１０６にプリンタ情報１１１が記憶されている場合は、プリンタ情報記憶部１０６からプリンタ情報１１１を取得することもできる。
【００４４】
この場合、プリンタ情報１１１の取得先は、ディスプレイ２０６に表示されたプリンタ情報１１１の取得先の一覧、メニュー、アイコン、選択ボタンなどに対して、ユーザが行った操作キー２０９を用いた操作によって選択される。また、印刷条件取得部１０１は、データ記憶媒体２０５とプリンタ情報記憶部１０６との両方からプリンタ情報１１１を取得することもできる。なお、印刷条件取得部１０１が取得するプリンタ情報１１１の一例については図４を、プリンタ情報１１１に含まれるプリンタ識別情報の一例については図５を、プリンタ情報１１１に含まれる用紙サイズ情報の一例については図６を、プリンタ情報１１１に含まれる用紙種類情報の一例については図７を用いて後述する。
【００４５】
次に、プリンタ情報記憶部１０６によって、ステップＳ３０１で取得したプリンタ情報１１１を記憶する（ステップＳ３０２）。プリンタ情報記憶部１０６は、プリンタ情報１１１をＲＡＭ２０３に記憶する。
【００４６】
プリンタ情報記憶部１０６は、ステップＳ３０１で取得したプリンタ情報１１１に含まれるそれぞれのプリンタ情報１１１ごとに、プリンタ情報１１１をＲＡＭ２０３に追加するか更新するかを判断するため、プリンタ情報１１１に含まれているプリンタ識別情報と、すでにＲＡＭ２０３に記憶されている一つまたは複数のプリンタ情報１１１に含まれているプリンタ識別情報とを比較する。
【００４７】
プリンタ情報１１１に含まれているプリンタ識別情報が、すでにＲＡＭ２０３に記憶されている一つまたは複数のプリンタ情報１１１に含まれているプリンタ識別情報のいずれとも異なる場合は、すでにＲＡＭ２０３に記憶されている一つまたは複数のプリンタ情報１１１に加え、ステップＳ３０１で取得したプリンタ情報１１１を記憶する。
【００４８】
プリンタ情報１１１に含まれているプリンタ識別情報が、すでにＲＡＭ２０３に記憶されている一つまたは複数のプリンタ情報１１１に含まれているプリンタ識別情報のいずれかと同一の場合は、ステップＳ３０１で取得したプリンタ情報１１１によって、ステップＳ３０１で取得したプリンタ情報１１１に含まれるプリンタ識別情報と同一のプリンタ識別情報を有するプリンタ情報１１１を更新する。
【００４９】
次に、印刷条件選択部１０３によって、ステップＳ３０１で取得したプリンタ情報１１１の中から、使用するプリンタ１１０に対応するプリンタ情報１１１を選択する（ステップＳ３０３）。使用するプリンタ１１０に対応するプリンタ情報１１１は、ディスプレイ２０６に表示されたプリンタ１１０の一覧、メニュー、アイコン、選択ボタンなどに対して、ユーザが行った操作キー２０９を用いた操作によって選択される。なお、ディスプレイ２０６に表示されたプリンタ情報１１１を選択する画面の一例については図８を用いて後述する。
【００５０】
次に、印刷条件選択部１０３によって、ステップＳ３０３で選択したプリンタ情報１１１の中に含まれる用紙サイズ情報の中から、使用する印刷用紙のサイズを選択する（ステップＳ３０４）。使用する印刷用紙のサイズは、ディスプレイ２０６に表示された印刷用紙のサイズの一覧、メニュー、アイコン、選択ボタンなどに対して、ユーザが行った操作キー２０９を用いた操作によって選択される。なお、ディスプレイ２０６に表示された印刷用紙のサイズを選択する画面の一例については図９を用いて後述する。
【００５１】
次に、印刷条件選択部１０３によって、ステップＳ３０３で選択したプリンタ情報１１１の中に含まれる用紙種類情報の中から、使用する印刷用紙の種類を選択する（ステップＳ３０５）。使用する印刷用紙の種類は、ディスプレイ２０６に表示された印刷用紙の種類の一覧、メニュー、アイコン、選択ボタンなどに対して、ユーザが行った操作キー２０９を用いた操作によって選択される。なお、ディスプレイ２０６に表示された印刷用紙の種類を選択する画面の一例については図１０を用いて後述する。
【００５２】
次に、撮影条件設定部１０４によって、撮影装置１００に対して、ステップＳ３０４で選択した印刷用紙のサイズに対応する画像解像度を設定する（ステップＳ３０６）。撮影条件設定部１０４は、ステップＳ３０４で選択した印刷用紙のサイズに対応する画像解像度をステップＳ３０３で選択したプリンタ情報１１１より取得する。
【００５３】
次に、撮影条件設定部１０４によって、撮影装置１００に対して、ステップＳ３０５で選択した印刷用紙の種類に対応する画像圧縮レベルを設定する（ステップＳ３０７）。撮影条件設定部１０４は、ステップＳ３０５で選択した印刷用紙の種類に対応する画像圧縮レベルをステップＳ３０３で選択したプリンタ情報１１１より取得する。
【００５４】
ステップＳ３０６およびステップＳ３０７において、撮影条件設定部１０４は、すでに撮影条件記憶部１０７に撮影条件が記憶されている場合は、撮影条件記憶部１０７から撮影条件を取得することもできる。この場合は、一連の処理において、ステップＳ３０１〜ステップＳ３０５を飛ばして、ステップＳ３０６から処理を開始することができる。ユーザは、ステップＳ３０１から処理を開始するか、ステップＳ３０６から処理を開始するかを選択することができる。この選択は、一連の処理の開始時に、ディスプレイ２０６に表示されたプリンタ情報１１１の取得先の一覧、メニュー、アイコン、選択ボタンなどに対して、ユーザが行った操作キー２０９を用いた操作によって選択される。
【００５５】
次に、撮影条件記憶部１０７によって、撮影条件（ステップＳ３０６で設定された画像解像度とステップＳ３０７で設定された画像圧縮レベル）を記憶する（ステップＳ３０８）。撮影条件記憶部１０７は、撮影条件をＲＡＭ２０３に記憶する。撮影条件設定部１０４によって新たに設定された撮影条件が、すでにＲＡＭ２０３に記憶されている撮影条件と異なる場合は、撮影条件設定部１０４によって新たに設定された撮影条件によって、すでにＲＡＭ２０３に記憶されている撮影条件を更新する。
【００５６】
次に、撮影部１０５によって、ステップＳ３０６で撮影条件設定部１０４によって設定された画像解像度と、ステップＳ３０７で撮影条件設定部１０４によって設定された画像圧縮レベルとを撮影条件として、画像を撮影する（ステップＳ３０９）。撮影部１０５によって撮影された画像は、データ記憶媒体２０５（コンパクトフラッシュ、スマートメディア、ＳＤメモリーカード、マルチメディアカード、メモリースティック、ＵＳＢフラッシュメモリなど）に記憶される。また、撮影部１０５によって撮影された画像を、ＲＡＭ２０３に記憶することもできる。なお、撮影条件設定部１０４によって設定された画像解像度と画像圧縮レベルとを撮影条件として撮影された画像の一例については図１１を用いて後述する。
【００５７】
撮影部１０５によって撮影された画像は、プリンタ１１０によって印刷するために、データ記憶媒体２０５を介して、プリンタ１１０へ送信することができる。また、撮影部１０５によって撮影された画像は、通信ケーブル２０８や図示しない無線通信を介して、プリンタ１１０へ送信することもできる。さらに、撮影部１０５によって撮影された画像は、通信ケーブル２０８や図示しない無線通信を介して、ネットワーク１２０に接続されたプリンタ１１０やパーソナル・コンピュータなどへ送信することもできる。
【００５８】
図４は、印刷条件取得部１０１が取得するプリンタ情報１１１の一例を示す図である。
図４に示すように、プリンタ情報１１１は、プリンタ識別情報４１０と、用紙サイズ情報４２０と、用紙種類情報４３０とによって構成されている。プリンタ識別情報４１０には、プリンタ１１０を識別するための情報が記憶されている。また、用紙サイズ情報４２０と、用紙種類情報４３０は、プリンタ識別情報４１０によって識別されるプリンタ１１０によって印刷することができる印刷用紙に関する情報が記憶されている。プリンタ情報１１１は、例えば、データ記憶媒体２０５やＲＡＭ２０３などに格納されている。
【００５９】
この、プリンタ情報１１１は、ＭＰＶ（Ｍｕｓｉｃ  Ｐｈｏｔｏ  Ｖｉｄｅｏ）標準規格などの、装置、機種およびメーカーを問わない複数の装置間において取り決められた標準フォーマットに従って構成されている汎用の規格を用いて構成することができる。例えば、ＭＰＶ標準規格に従ってプリンタ情報１１１を構成した場合は、ＸＭＬ（ｅＸｔｅｎｓｉｂｌｅ  Ｍａｒｋｕｐ  Ｌａｎｇｕａｇｅ）形式によってプリンタ情報１１１が表される。
【００６０】
図５は、プリンタ情報１１１に含まれるプリンタ識別情報４１０の一例を示す図である。図５に示すように、プリンタ識別情報４１０は、設定項目４１１と、設定値４１２とによって構成されている。図５において、撮影装置１００は、設定項目４１１が「プリンタ名」の場合、設定値４１２として「Ｅ社  ＬＰ−２０００」を取得することを示す。また、撮影装置１００は、設定項目４１１が「プリンタＩＤ」の場合、設定値４１２として「Ｐ１２３４」が設定されている。このように、撮影装置１００は、プリンタ識別情報４１０に記憶されている「プリンタ名」と「プリンタＩＤ」とを読み取ることによってどのプリンタ１１０が有するプリンタ情報１１１であるのかを識別することができる。
【００６１】
図６は、プリンタ情報１１１に含まれる用紙サイズ情報４２０の一例を示す図である。
図６に示すように、用紙サイズ情報４２０は、用紙サイズ４２１と、解像度４２２とによって構成されている。用紙サイズ４２１には、プリンタ１１０によって印刷することができる印刷用紙のサイズが設定される。解像度４２２には、印刷用紙のサイズに対応する画像解像度が設定される。
【００６２】
例えば、印刷条件選択部１０３によって、使用する印刷用紙のサイズとして、用紙サイズ４２１より「ハガキ」が選択された場合、撮影条件設定部１０４は、撮影装置１００に対して設定する画像解像度として、解像度４２２より「１５０４×１０００（ピクセル）」を取得することを示す。
【００６３】
また、例えば、印刷条件選択部１０３によって、使用する印刷用紙のサイズとして、用紙サイズ４２１より「Ａ３」が選択された場合、撮影条件設定部１０４は、撮影装置１００に対して設定する画像解像度として、解像度４２２より「３００８×２０００（ピクセル）」を取得することを示す。
【００６４】
図７は、プリンタ情報１１１に含まれる用紙種類情報４３０の一例を示す図である。図７に示すように、用紙種類情報４３０は、用紙種類４３１と、圧縮レベル４３２と、圧縮率４３３とによって構成されている。用紙種類４３１には、プリンタ１１０によって印刷することができる印刷用紙の種類が設定される。圧縮レベル４３２には、印刷用紙のサイズに対応する画像圧縮レベルが設定される。圧縮率４３３には、圧縮レベル４３２に設定された画像圧縮レベルに対応する画像圧縮率が設定される。
【００６５】
例えば、印刷条件選択部１０３によって、使用する印刷用紙の種類として、用紙種類４３１より「写真光沢紙」が選択された場合、撮影条件設定部１０４は、撮影装置１００に対して設定する画像圧縮レベルとして、圧縮レベル４３２より「Ｓｕｐｅｒｆｉｎｅ」を、画像圧縮率として、圧縮率４３３より「１００％（圧縮しないことを意味する）」を取得することを示す。
【００６６】
また、例えば、印刷条件選択部１０３によって、使用する印刷用紙の種類として、用紙種類４３１より「普通紙」が選択された場合、撮影条件設定部１０４は、撮影装置１００に対して設定する画像圧縮レベルとして、圧縮レベル４３２より「Ｎｏｒｍａｌ」を、画像圧縮率として、圧縮率４３３より「２５％（１／４のサイズに圧縮することを意味する）」を取得することを示す。
【００６７】
図８は、ディスプレイ２０６に表示されたプリンタ情報１１１を選択する画面の一例を示す図である。図８に示すように、画面８００は、プリンタ一覧８１０と、ボタン８２０とによって構成されている。プリンタ一覧８１０には、印刷条件取得部１０１によって取得したプリンタ情報１１１に対応するプリンタ１１０の一覧が表示されている。
【００６８】
プリンタ一覧８１０に表示されているプリンタ１１０の中から、操作キー２０９を用いてユーザが行った操作によって使用するプリンタ１１０を選択することができる。ボタン８２０は、操作キー２０９を用いてユーザが行った操作によって押下することができるボタンである。ボタン８２０を押下することによって、プリンタ一覧８１０上で選択されているプリンタ１１０に対応するプリンタ情報１１１を、使用するプリンタ１１０に対応するプリンタ情報１１１として設定することができる。図８においては、一例として、使用するプリンタ１１０として「Ｅ社  ＬＰ−２００００」を選択していることを示す。
【００６９】
図９は、ディスプレイ２０６に表示された印刷用紙のサイズを選択する画面の一例を示す図である。図９に示すように、画面９００は、用紙サイズ一覧９１０と、ボタン９２０とによって構成されている。用紙サイズ一覧９１０には、図８を用いて上述した画面８００によって選択されたプリンタ情報１１１に含まれる用紙サイズ情報４２０から取得した、プリンタ１１０によって印刷することができる印刷用紙のサイズの一覧が表示されている。
【００７０】
用紙サイズ一覧９１０に表示されている印刷用紙のサイズの中から、操作キー２０９を用いてユーザが行った操作によって使用する印刷用紙のサイズを選択することができる。
ボタン９２０は、操作キー２０９を用いてユーザが行った操作によって押下することができるボタンである。ボタン９２０を押下することによって、用紙サイズ一覧９１０上で選択されている印刷用紙のサイズを、使用する印刷用紙のサイズとして設定することができる。図９においては、一例として、使用する印刷用紙のサイズとして「ハガキ」を選択していることを示す。
【００７１】
図１０は、ディスプレイ２０６に表示された印刷用紙の種類を選択する画面の一例を示す図である。図１０に示すように、画面１０００は、用紙種類一覧１０１０と、ボタン１０２０とによって構成されている。用紙種類一覧１０１０には、図８を用いて上述した画面８００によって選択されたプリンタ情報１１１に含まれる用紙種類情報４３０から取得した、プリンタ１１０によって印刷することができる印刷用紙の種類の一覧が表示されている。
【００７２】
用紙種類一覧１０１０に表示されている印刷用紙の種類の中から、操作キー２０９を用いてユーザが行った操作によって使用する印刷用紙の種類を選択することができる。ボタン１０２０は、操作キー２０９を用いてユーザが行った操作によって押下することができるボタンである。ボタン１０２０を押下することによって、用紙種類一覧１０１０上で選択されている印刷用紙の種類を、使用する印刷用紙の種類として設定することができる。
図１０においては、一例として、使用する印刷用紙の種類として「写真光沢紙」を選択していることを示す。
【００７３】
図１１は、撮影条件設定部１０４によって設定された画像解像度と画像圧縮レベルとを撮影条件として撮影された画像の一例を示す図である。画像１１００は、ＪＰＥＧ形式で圧縮された画像データであり、ファイル名として、「０００１．ＪＰＧ」が付与されている。画像１１００は、画像解像度として、「１５０４×１０００（ピクセル）」を有する。この、画像解像度「１５０４×１０００（ピクセル）」は、図８を用いて上述した画面８００によって選択されたプリンタ１１０（「Ｅ社  ＬＰ−２００００」）が有するプリンタ情報１１１と、図９を用いて上述した画面９００によって選択された印刷用紙のサイズ（「ハガキ」）とに基づいて、撮影条件設定部１０４によって、プリンタ情報１１１から取得され、撮影装置１００に対して設定された撮影条件である。
【００７４】
また、画像１１００は、画像圧縮レベルとして、「Ｓｕｐｅｒｆｉｎｅ（画像圧縮率１００％）」を有する。この、画像圧縮レベル「Ｓｕｐｅｒｆｉｎｅ（画像圧縮率１００％）」は、図８を用いて上述した画面８００によって選択されたプリンタ１１０（「Ｅ社  ＬＰ−２００００」）が有するプリンタ情報１１１と、図１０を用いて上述した画面１０００によって選択された、印刷用紙の種類（「写真光沢紙」）とに基づいて、撮影条件設定部１０４によって、プリンタ情報１１１から取得され、撮影装置１００に対して設定された撮影条件である。
【００７５】
このように、本実施の形態によれば、複数のプリンタ１１０が有するそれぞれのプリンタ情報１１１を取得して、取得した複数のプリンタ１１０が有するそれぞれのプリンタ情報１１１の中から、画像の印刷に用いるプリンタ１１０が有するプリンタ情報１１１を選択することができる。そして、選択したプリンタ情報１１１の中から、画像を印刷するときの印刷条件として印刷用紙のサイズと、印刷用紙の種類とを選択することによって、印刷用紙のサイズに対応した画像解像度と、印刷用紙の種類に対応した画像圧縮レベルを撮影条件とした画像の撮影を行うことができる。そのため、プリンタ１１０が複数備えられている場合であっても、ユーザは、画像の印刷に用いるプリンタ１１０が有するプリンタ情報１１１と、画像を印刷する印刷用紙のサイズと、画像を印刷する印刷用紙の種類とを選択するだけといった簡単な設定によって、画像を印刷するプリンタ１１０および印刷用紙に適した画像解像度と画像圧縮レベルを有する画像を撮影することができる。
【００７６】
さらに、本実施の形態によれば、取得したプリンタ情報１１１をＲＡＭ２０３へ記憶させることによって、ＲＡＭ２０３からプリンタ情報１１１を取得することができる。そのため、撮影装置１００の電源をＯＮ／ＯＦＦした後であっても、ＲＡＭ２０３から容易に、プリンタ情報１１１を取得することができる。
【００７７】
さらに、本実施の形態によれば、画像の撮影に用いた撮影条件（画像解像度と画像圧縮レベル）をＲＡＭ２０３へ記憶させることによって、ＲＡＭ２０３から撮影条件を取得して、取得した撮影条件による画像の撮影を行うことができる。そのため、撮影装置１００の電源をＯＮ／ＯＦＦした後であっても、再度、画像の印刷に用いるプリンタ１１０が有するプリンタ情報１１１と、画像を印刷する印刷用紙のサイズと、画像を印刷する印刷用紙の種類とを選択することなく、ＲＡＭ２０３から容易に撮影条件を取得して、取得した撮影条件による画像の撮影を行うことができる。
【００７８】
なお、本実施の形態においては、記憶媒体２０５から取得したプリンタ情報１１１をＲＡＭ２０３へ記憶させることによって、ＲＡＭ２０３からプリンタ情報１１１を取得することができる構成としたが、記憶媒体２０５から取得したプリンタ情報１１１をＲＡＭ２０３へ記憶することができずに、常にプリンタ情報１１１を記憶媒体２０５から取得する構成であってもよい。
【００７９】
さらに、本実施の形態においては、画像の撮影に用いた撮影条件（画像解像度と画像圧縮レベル）をＲＡＭ２０３へ記憶させることによって、ＲＡＭ２０３から撮影条件を取得することができる構成としたが、画像の撮影に用いた撮影条件をＲＡＭ２０３へ記憶させずに、画像の撮影に用いた撮影条件を記憶媒体２０５へ記憶させることによって、記憶媒体２０５から画像の撮影に用いた撮影条件を取得することができるようにしてもよい。また、画像の撮影に用いた撮影条件を記憶することができない構成であってもよい。
【００８０】
さらに、本実施の形態においては、プリンタ情報記憶部１０６によって、プリンタ情報１１１をＲＡＭ２０３へ記憶する際に、プリンタ情報１１１に含まれているプリンタ識別情報が、すでにＲＡＭ２０３に記憶されている一つまたは複数プリンタ情報１１１のプリンタ識別情報のいずれかと同一の場合は、ステップＳ３０１で取得したプリンタ情報１１１によって、すでにＲＡＭ２０３に記憶されているプリンタ識別情報が同一のプリンタ情報１１１を更新する構成としたが、更新するか否かを操作キー２０９を用いてユーザが行った操作によって選択することができるようにしてもよい。
【００８１】
さらに、本実施の形態においては、撮影条件記憶部１０７によって、撮影条件をＲＡＭ２０３へ記憶する際に、撮影条件設定部１０４によって新たに設定された撮影条件が、すでにＲＡＭ２０３に記憶されている撮影条件と異なる場合は、撮影条件設定部１０４によって新たに設定された撮影条件によって、すでにＲＡＭ２０３に記憶されている撮影条件を更新する構成としたが、更新するか否かを操作キー２０９を用いてユーザが行った操作によって選択することができるようにしてもよい。
【００８２】
なお、本実施の形態で説明した撮影方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記憶媒体に記録され、コンピュータによって記憶媒体から読み出されることによって実行される。またこのプログラムは、インターネットなどのネットワークを介して配布することが可能な伝送媒体であってもよい。
【図面の簡単な説明】
【００８３】
【図１】撮影装置の機能的構成の一例を示すブロック図。
【図２】撮影装置のハードウェア構成の一例を示すブロック図。
【図３】撮影処理手順の一例を示すフローチャート。
【図４】プリンタ情報の一例を示す図。
【図５】プリンタ情報に含まれるプリンタ識別情報の一例を示す図。
【図６】プリンタ情報に含まれる用紙サイズ情報の一例を示す図。
【図７】プリンタ情報に含まれる用紙種類情報の一例を示す図。
【図８】プリンタ情報を選択する画面の一例を示す図。
【図９】印刷用紙のサイズを選択する画面の一例を示す図。
【図１０】印刷用紙の種類を選択する画面の一例を示す図。
【図１１】撮影された画像の一例を示す図。
【符号の説明】
【００８４】
１００  撮影装置、１０１  印刷条件取得部、１０２  操作部、１０３  印刷条件選択部、１０４  撮影条件設定部、１０５  撮影部、１０６  プリンタ情報記憶部、１０７  撮影条件記憶部
【図１】
2007158888.tif 000003
【図２】
2007158888.tif 000004
【図３】
2007158888.tif 000005
【図４】
2007158888.tif 000006
【図５】
2007158888.tif 000007
【図６】
2007158888.tif 000008
【図７】
2007158888.tif 000009
【図８】
2007158888.tif 000010
【図９】
2007158888.tif 000011
【図１０】
2007158888.tif 000012
【図１１】
2007158888.tif 000013